(57)【要約】  【課題】昼夜における周囲の明るさに関係なく、バックライトの輝度を最適状態に自動調整して、表示画面部を常に適正な明るさに保持する。【解決手段】作業灯のオンオフ状態を検知する検知手段１１と、表示画面部６を照らす輝度調整可能なバックライト７と、バックライト７の輝度を作業灯のオンオフ状態に応じて夜間モード又は昼間モードに自動的に切り替える制御装置１０とを備えた建設機械の表示装置５において、周囲の明るさを検知する光センサ１２又は日射センサ１３を前記制御装置１０に接続し、該光センサ１２又は日射センサ１３からの検知信号に基づき前記バックライト７の輝度を調節することにより、該バックライト７の輝度を周囲の明るさに合わせて自動的に調節できるように構成されている。【選択図】図２
2010265731.tif 000002
【特許請求の範囲】
【請求項１】
作業灯のオンオフ状態を検知する検知手段と、表示画面部を照らす輝度調整可能なバックライトと、該バックライトの輝度を前記作業灯のオンオフ状態に応じて夜間モード又は昼間モードに切り替える制御装置とを備えた建設機械の表示装置において、
周囲の明るさを検知する光センサを前記制御装置に接続し、該光センサからの検知信号に基づき前記バックライトの輝度を調節することにより、該バックライトの輝度を周囲の明るさに合わせて自動的に調節できるように構成したことを特徴とする建設機械の表示装置。
【請求項２】
周囲の明るさを検知する上記光センサを上記制御装置に接続し、該光センサからの検知
信号に基づき、作業灯をオンにした状態であっても表示部周囲が明るい場合には自動的に夜間モードをキャンセルし、昼間モードの輝度に切り換える様に構成したことを特徴とする請求項１記載の建設機械の表示装置。
【請求項３】
周囲の明るさを検知する上記光センサを前記制御装置に接続し、該光センサからの検知信号に基づき、作業灯をオフにした状態であっても表示部周囲が暗い場合には自動的に昼間モードをキャンセルし、夜間モードの輝度に切り換える様に構成したことを特徴とする請求項１記載の建設機械の表示装置。
【請求項４】
上記制御装置には上記光センサに代えて日射センサを接続する事も出来るように構成したことを特徴とする請求項１記載の建設機械の表示装置。
【発明の詳細な説明】
【技術分野】
【０００１】
本発明は建設機械の表示装置に関するものであり、特に、周囲の明るさに応じてバックライトの輝度を自動的に調整できるようにした建設機械の表示装置に関するものである。
【背景技術】
【０００２】
従来、此種建設機械のキャビン内にはエンジン運転状態などの各種情報を表示するために表示装置が設けられ、該表示装置としてはＬＣＤ（液晶モニタ表示装置）が多く用いられている。該表示装置には表示画面部を見やすくするためにバックライトが設けられている。
【０００３】
前記表示装置において透過式のバックライトを採用した場合、太陽光の強い昼間における表示画面部の良好な視認性を確保するためには、可能な限り輝度の大きいバックライトを用いて、表示画面部を明るくすることが望ましい。
【０００４】
反面、周囲が暗くなる夜間では、輝度の低いバックライトを用いて暗くしないと、該バックライトが眩しくなる。そこで、建設機械の作業灯をオンした時に、バックライトの輝度が低下するように構成した表示装置、或いは、作業環境に合わせてバックライトの輝度をオペレータが手動にて設定変更できるように構成した表示装置が出現している。又、昼間時（作業灯がオフの時）のバックライトの輝度と、夜間時（作業灯がオンの時）のバックライトの輝度とを夫々設定変更できるように構成した表示装置も開発されている（特許文献１参照）。
【特許文献１】特開平０６−８８３６０号公報
【発明の開示】
【発明が解決しようとする課題】
【０００５】
上記従来の表示装置は、図４のステップＳ１１に示すように、作業灯のオンオフ信号によって夜間であるか否かを判断している。そして、作業灯がオンのとき、即ち、夜間のときは、バックライトの輝度を夜間モードに設定変更し、又、作業灯がオフのとき、即ち、昼間のときは、バックライトの輝度を昼間モードに設定変更している（ステップＳ１２，１３参照）。
従って、例えば、夕方から夜間にかけての作業時間のように、徐々に周囲が暗くなる時には、バックライトの輝度を常に最適な状態にすることができない。その結果、表示画面部の視認性が低下したり、或いは、バックライトが眩しくなるという欠点があった。
【０００６】
例えば、夕方時に周囲の明るさに合わせてバックライトの輝度を調節すると、夜間においてバックライトの輝度が過大になるため、表示画面部を照らすバックライトが眩しくなる。又、夜間時に周囲の明るさに合わせてバックライトの輝度を調節すると、夕方においてバックライトの輝度が不足して表示画面部が見づらくなる。
【０００７】
そこで、周囲の明るさに関係なく、表示画面部における視認性を確保できるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、作業灯のオンオフ状態を検知する検知手段と、表示画面部を照らす輝度調整可能なバックライトと、バックライトの輝度を作業灯のオンオフ状態に応じて夜間モード又は昼間モードに切り替える制御装置とを備えた建設機械の表示装置において、周囲の明るさを検知する光センサを前記制御装置に接続し、該光センサからの検知信号に基づき前記バックライトの輝度を調節することにより、該バックライトの輝度を周囲の明るさに合わせて自動的に調節できるように構成して成る建設機械の表示装置を提供する。
【０００９】
この構成によれば、光センサからの検知信号に基づいてバックライトの輝度を調節することにより、バックライトの輝度が周囲の明るさに合わせて自動的に調節される。依って、夜間時又は昼間時に周囲の明るさが変化しても、これに対応してバックライトの輝度が最適状態に自動的に調節される。
請求項２記載の発明は、周囲の明るさを検知する上記光センサを上記制御装置に接続し、該光センサからの検知信号に基づき、作業灯をオンにした状態であっても表示部周囲が明るい場合には自動的に夜間モードをキャンセルし、昼間モードの輝度に切り換える様に構成したことを特徴とする請求項１記載の建設機械の表示装置を提供する。
【００１０】
この構成によれば、光センサからの検知信号に基づいて、作業灯がオン状態であっても、周囲が明るい場合には、自動的に夜間モードを解除し、昼間モードの輝度に切り換えられる。
【００１１】
請求項３記載の発明は、周囲の明るさを検知する上記光センサを前記制御装置に接続し、該光センサからの検知信号に基づき、作業灯をオフにした状態であっても表示部周囲が暗い場合には自動的に昼間モードをキャンセルし、夜間モードの輝度に切り換える様に構成したことを特徴とする請求項１記載の建設機械の表示装置を提供する。
この構成によれば、光センサからの検知信号に基づいて、作業灯がオフ状態であっても、周囲が暗い場合には、自動的に昼間モードを解除し、夜間モードの輝度に切り換えられる。
【００１２】
請求項４記載の発明は、上記制御装置には上記光センサに代えて日射センサを接続する事も出来るように構成ことを特徴とする請求項１記載の建設機械の表示装置を提供する。
【００１３】
この構成によれば、日射センサが光センサの機能を果たすので、日射センサからの検知信号に基づきバックライトの輝度を調節することにより、バックライトの輝度が周囲の明るさに合わせて自動的に調節される。
【発明の効果】
【００１４】
請求項１記載の発明は、バックライトの輝度を周囲の明るさに合わせて自動的に調節できるので、周囲の明るさに関係なく、バックライトの輝度を常に最適状態に保持することができる。斯くして、夜間又は昼間に周囲の明るさが大きくした場合でも、バックライトにより表示画面部を適正な明るさに照明できるので、表示画面部の視認性を向上させることができる。
【００１５】
請求項２記載の発明は、光センサからの検知信号に基づいて、作業灯がオン状態であっても、周囲が明るい場合には、自動的に夜間モードを解除し、昼間モードの輝度に切り換える様に構成した。これにより、請求項１記載の発明の効果に加えて、表示画面部が暗くて見にくくなる事を回避できる。
【００１６】
請求項３記載の発明は、光センサからの検知信号に基づいて、作業灯がオフ状態であっても、周囲が暗い場合には、自動的に昼間モードを解除し、夜間モードの輝度に切り換える様に構成した。これにより、請求項１記載の発明の効果に加えて、表示画面部が明るくて見にくくなる事を回避できる。
【００１７】
請求項４記載の発明は、日射センサにより周囲の明るさに応じてバックライトの輝度を自動的に調節できるので、請求項１記載の発明の効果に加えて、周囲の明るさが変化しても、従来例のようにバックライトが眩しすぎたり、或いは、暗くなりすぎる恐れがない。又、日射センサは建設機械に搭載されているものを活用できるため、新規に日射センサを追加する必要がなくコストダウンが可能になる。
【発明を実施するための最良の形態】
【００１８】
本発明は、昼夜の周囲の明るさに関係なく、バックライトの輝度を最適状態に自動調整して、表示画面部を常に適正な明るさに保持するという目的を達成するため、作業灯のオンオフ状態を検知する検知手段と、表示画面部を照らす輝度調整可能なバックライトと、バックライトの輝度を作業灯のオンオフ状態に応じて夜間モード又は昼間モードに切り替える制御装置とを備えた建設機械の表示装置において、周囲の明るさを検知する光センサを前記制御装置に接続し、該光センサからの検知信号に基づき前記バックライトの輝度を調節することによって、該バックライトの輝度を周囲の明るさに合わせて自動的に調節できるように構成したことにより実現した。
本発明では、光センサ（又は日射センサ）信号が規定値以上の場合、作業灯がオン状態でも夜間モードを解除して昼間モードに切り換えて画面表示部の輝度を明るくする。又、光センサ（又は日射センサ）信号が規定値以下の場合、作業灯がオフ状態でも昼間モードを解除して夜間モードに切り換えて画面表示部の輝度を暗くする。（図３：フローチャート参照）
【実施例】
【００１９】
以下、本発明の好適な一実施例を図１乃至図３に従って説明する。図１は、本実施例に係る建設機械に設けられたキャビン内を示す斜視図、図２は該キャビン内に設置した液晶モニタ表示装置を示す制御回路図、図３は本実施例に係る表示装置の画面輝度制御方式を説明するフローチャートである。
【００２０】
図１において、符号１は油圧ショベル等の建設機械に搭載されたキャビンであり、キャビン１内には運転席２が設置され、該運転席２の左右両側には操作レバー３，４が設けられている。更に、運転席２の前方にはＬＣＤ式表示装置（液晶モニタ表示装置）５が配設され、該ＬＣＤ式表示装置５によりエンジン運転状態などの各種情報を画面表示できるように構成されている。
【００２１】
図２に示すように、ＬＣＤ式表示装置５は、各種情報を画面表示するモニタパネル（表示画面部）６と、該モニタパネル６の背面側に配置された輝度調節可能な透過式のバックライト７とを有する。該バックライト７の光源からモニタパネル６に光量を照射することで、モニタパネル６の明るさが適正に調整される。バックライト７の光源としては蛍光ランプもしくはLEDを採択でき、該光源に供給される電流量を変化させることで、バックライト７の輝度が変化するように構成されている。
【００２２】
更に、バックライト７には輝度モード変更手段８及び輝度調節手段９が接続されている。輝度モード変更手段８は、バックライト７の輝度を夜間モード又は昼間モードに設定変更するものである。又、輝度調節手段９は、バックライト７の輝度をモニタパネル６の周囲の明るさ（照明度）に応じて調整するものである。更に、輝度モード変更手段８及び輝度調節手段９には制御装置１０が接続され、該制御装置１０により輝度モード変更手段８及び輝度調節手段９が駆動制御される。尚、制御装置１０は入力部１０ａ、演算部１０ｂ、判定部１０ｃ、記憶部１０ｄ及び出力部１０ｅなどから成る。
【００２３】
又、制御装置１０には、建設機械の作業灯（図示せず）のオンオフ状態を検知する検知手段１１が接続されている。そして、制御装置１０は、検知手段１１からの検知信号に基づいて輝度モード変更手段８の動作を制御することにより、バックライト７の輝度を夜間モード又は昼間モードに自動的に設定変更する。
【００２４】
即ち、作業灯がオンの場合は、夜間作業と判断してバックライト７の輝度を夜間モードの輝度に自動的に変更し、又、作業灯がオフの場合は、昼間作業と判断してバックライト７の輝度を昼間モードの輝度に自動的に変更する。
【００２５】
更に、制御装置１０には周囲の明るさを検知する光センサ１２が接続され、該光センサ１２としてはフォトダイオード等を採択することができる。そして、制御装置１０は、光センサ１２からの検知信号に基づいて輝度調節手段９の動作を制御することにより、バックライト７の輝度を周囲の明るさに応じて最適値に自動的に調整する。
【００２６】
このように本実施例では、周囲の明るさを検知する光センサ１２の照度信号を制御装置１０に入力して、輝度調節手段９の動作を制御することで、バックライト７の輝度を最適状態に常時保持できるように構成されている。
【００２７】
従って、本実施例のＬＣＤ式表示装置５は、光センサ１２からの照度信号に基づいてバックライト７の輝度を調節することにより、バックライト７の輝度を周囲の明るさに合わせて自動的に調節できる。特に、周囲の明るさが大きく変化する場合でも、これに即応してバックライト７の輝度が最適状態に保持される。例えば、夜間時（作業灯のオン時）にバックライト７を暗くする場合に、周囲の明るさに応じてバックライト７の輝度を低下させるべく自動的に制御される。
以上要するに本実施例では、先ず、光センサ（又は日射センサ）信号が規定値以上の場合、作業灯がオン状態でも夜間モードを解除して昼間モードに切り換えて画面表示部の輝度を明るくする。又、光センサ（又は日射センサ）信号が規定値以下の場合、作業灯がオフ状態でも昼間モードを解除して夜間モードに切り換えて画面表示部の輝度を暗くする。
【００２８】
上記バックライト７の輝度制御の一例を図３のフローチャートで詳述する。尚、周囲の明るさを検知する光センサ１２は、上記制御装置１０に接続されているものとする。先ず、光センサ１２からの検知信号に基づき、作業灯がオンであるか否かを判定し（ステップＳ１）、作業灯がオフである場合には、自動的に夜間モードをキャンセルして、バックライト７を昼間モードの輝度に切り換える（ステップＳ２）。
これに対して、作業灯がオンである場合には、光センサ１２で検出した輝度が規定値以下であるか否かを判断し（ステップＳ３）、輝度が規定値を超える場合にはステップＳ２に移行する。又、光センサ１２で検出した輝度が規定値を以下である場合には、自動的に昼間モードをキャンセルして、バックライト７を夜間モードの輝度に切り換える。
【００２９】
本実施例においては、周囲の明るさを検知する手段としては日射センサ１３を採択することができる。即ち、建設機械の既存のキャビン１には、オートエアコンを制御するための日射センサ１３が設けられているため、上記光センサ１２に代えて日射センサ１３を制御装置１０に接続することもできる。
【００３０】
以上の如く本発明によると、光センサ１２からの信号に基づきバックライト７の輝度を調節することにより、夜間時のバックライト７の輝度を周囲の明るさに合わせて自動的に調節できる。従って、周囲の明るさが大きく変化しても、適切なバックライト７の輝度を常に確保することができる。
【００３１】
斯くして、例えば、夕方から夜間にかけての作業時間のように、徐々に周囲が暗くなる時でも、バックライト７の輝度を最適な状態にキープできるので、従来例の如くバックライト７が眩しすぎたり、或いは、暗くなりすぎる虞がない。その結果、モニタパネル６を常に最適な明るさに制御でき、以って、該モニタパネル６の視認性が著しく向上する。
【００３２】
本実施例において、光センサ１２に代えて日射センサ１３を採択した場合は、日射センサ１３が光センサ１２の機能を果たす。従って、日射センサ１３からの検知信号に基づきバックライト７の輝度を調節することにより、光センサ１２を使用した場合と同様に、周囲の明るさに合わせてバックライト７の輝度が常時最適な状態に自動的に調節される。
【００３３】
又、日射センサ１３は、建設機械のキャビン１に搭載されている既存のセンサ、即ち、オートエアコン制御用の日射センサ１３を有効に活用することができる。依って、新規に日射センサ１３を付設する必要がないので、製作コストの低減が可能になる。
【００３４】
本発明は、特に、周囲の明るさが徐々に暗くなる夕方から夜間にかけて、最適な輝度の自動制御効果が顕著に発揮されるが、作業灯がオフ状態である昼間にも上記バックライト７の輝度制御を行うことができる。この場合は、昼間における周囲の明るさに応じて、バックライト７の輝度が自動調節されるので、モニタパネル６の明るさが過大又は不足することなく適正状態に常に設定され、昼間のモニタパネル６の画面視認性が著しく向上する。
【００３５】
更に、光センサからの検知信号に基づいて、作業灯がオン状態であっても、周囲が明るい場合には、自動的に夜間モードを解除し、昼間モードの輝度に切り換えられる。これにより、表示画面部が暗くて見にくくなる事を回避することができる。
【００３６】
又、光センサからの検知信号に基づいて、作業灯がオフ状態であっても、周囲が暗い場合には、自動的に昼間モードを解除し、夜間モードの輝度に切り換えられる。これにより、表示画面部が明るくて見にくくなる事を回避することができる。
【００３７】
なお、本発明は、本発明の精神を逸脱しない限り種々の改変を為すことができ、そして、本発明が該改変されたものに及ぶことは当然である。
【図面の簡単な説明】
【００３８】
【図１】本発明の一実施例を示し、建設機械に設けられたキャビン内を示す斜視図。
【図２】一実施例に係るＬＣＤ式表示装置を示す制御回路図。
【図３】本実施例に係る表示装置の輝度モード制御方式を説明するフローチャート。
【図４】従来例に係る表示装置の輝度モード制御方式を説明するフローチャート。
【符号の説明】
【００３９】
１    キャビン
５    ＬＣＤ式表示装置
６    モニタパネル（表示画面部）
７    バックライト
８    輝度モード変更手段
９    輝度調節手段
１０  制御装置
１１  検知手段（作業灯オンオフ状態検出器）
１２  光センサ
１３  日射センサ
【図１】
2010265731.tif 000003
【図２】
2010265731.tif 000004
【図３】
2010265731.tif 000005
【図４】
2010265731.tif 000006